(57)【要約】【課題】  インターポーザーをアンテナに簡易且つ迅速に取り付ける。【解決手段】  インターポーザー（２）が所定ピッチで担持された連続状基材（６）をインターポーザー（２）毎に打ち抜いて所定数配列し、アンテナ（１）が所定ピッチで形成された連続状基材（３ａ）を往復動させつつ、連続状基材（６）から複数のインターポーザー（２）を連続状基材（３ａ）のアンテナ（１）に受け渡すようにしている。【選択図】  図４
2006039655.tif 000002
【特許請求の範囲】
【請求項１】
非接触データキャリア部材が所定ピッチで担持された連続体を上記非接触データキャリア部材毎に打ち抜いて所定数配列し、被搭載体が所定ピッチで形成された連続状基材を往復動させつつ、上記連続体から複数の非接触データキャリア部材を上記連続状基材の被搭載体に受け渡すことを特徴とする非接触データキャリア部材取付方法。
【請求項２】
非接触データキャリア部材が所定ピッチで担持された連続体を前記非接触データキャリア部材毎に打ち抜き、この打ち抜いた非接触データキャリア部材を順次吸着手段に吸着させ、この吸着手段を往復動させつつ、この吸着手段から被搭載体が所定ピッチで形成された連続状基材に上記非接触データキャリア部材を受け渡すことを特徴とする非接触データキャリア部材取付方法。
【請求項３】
請求項１に記載の非接触データキャリア部材取付方法において、
上記所定数配列した非接触データキャリア部材を上記連続状基材の往復動位置に間欠送りし、上記非接触データキャリア部材と同期して上記連続状基材を間欠送りすることを特徴とする非接触データキャリア部材取付方法。
【請求項４】
請求項１または請求項２に記載の非接触データキャリア部材取付方法において、
上記非接触データキャリア部材を上記連続状基材の被搭載体上に受け渡す前に、上記非接触データキャリア部材上及び上記被搭載体上の少なくとも一方に予め接着剤を塗布しておくことを特徴とする非接触データキャリア部材取付方法。
【請求項５】
請求項２に記載の非接触データキャリア部材取付方法において、
上記吸着手段の往動時に上記連続状基材に上記非接触データキャリア部材を受け渡し、上記吸着手段の復動時に上記打ち抜いた非接触データキャリア部材を吸着することを特徴とする非接触データキャリア部材取付方法。
【請求項６】
非接触データキャリア部材が所定ピッチで担持された連続体を上記非接触データキャリア部材毎に打ち抜く打ち抜き手段と、打ち抜かれた非接触データキャリア部材を所定数配列する配列手段と、被搭載体が所定ピッチで形成された連続状基材を往復動させる往復動手段とを備え、
上記往復動手段にて上記連続体から複数の非接触データキャリア部材を上記連続状基材の被搭載体に受け渡すことを特徴とする非接触データキャリア部材取付装置。
【請求項７】
非接触データキャリア部材が所定ピッチで担持された連続体を前記非接触データキャリア部材毎に打ち抜く打ち抜き手段と、打ち抜かれた非接触データキャリア部材を順次吸着する吸着手段と、この吸着手段を往復動させつつ、この吸着手段から被搭載体が所定ピッチで形成された連続状基材に上記非接触データキャリア部材を受け渡す往復動手段とを備えたことを特徴とする非接触データキャリア部材取付装置。
【請求項８】
請求項６又は請求項７に記載の非接触データキャリア部材取付装置において、
上記非接触データキャリア部材を上記連続状基材の被搭載体上に受け渡す前に、上記非接触データキャリア部材上及び上記被搭載体上の少なくとも一方に予め接着剤を塗布する塗布手段を設けたことを特徴とする非接触データキャリア部材取付装置。
【発明の詳細な説明】
【技術分野】
【０００１】
本発明は、インターポーザー等の非接触型データキャリア部材をアンテナ等他の被搭載体や、カード等の製品に取り付けるための方法及び装置に関する。
【背景技術】
【０００２】
図１に示すように、無線タグは、被搭載体であるアンテナ１上に、非接触型データキャリア部材であるインターポーザー２を備える。アンテナ１の端部１ａ，１ｂ間はインターポーザー２により電気的に連結され、インターポーザー２が取り付けられたアンテナ１は全体として樹脂フィルム等の図示しない保護層により覆われる。
【０００３】
アンテナ１は、図２に示すように、例えば、紙、樹脂等で出来たシート状の基材３の表面に所望のパターンの導電層を付着させることにより形成される。また、インターポーザー２は、図３に示すように、ＩＣチップ４の両側の図示しない電極に短冊状の導電性シート５，５をそれぞれ電気的に接続してなるもので、図１に示すように、両側の導電性シート５，５がアンテナ１の端部１ａ，１ｂに導電可能に接合される。導電性シート５，５は上記アンテナ１と同様な層構成を有し、アンテナ１の基材よりも比較的薄い基材上に導電層が積層されることにより形成される。
【０００４】
従来、無線タグとして組み立てられる前のインターポーザー２やアンテナ１は各々の大きさに応じたピッチで別個の連続状基材に形成される。インターポーザー２をアンテナ１に接合するには、インターポーザー２の基材とアンテナ１の基材とを平行に配置し、それぞれを一ピッチずつ間欠走行させ、一方の基材が一時停止したところで打ち抜き機により一つのインターポーザー２を打ち抜く。この打ち抜いたインターポーザー２を搬送ロボットがその吸着ヘッドで吸着して一つのアンテナ１上へと搬送し、アンテナ１の端部１ａ，１ｂ上に載せる。アンテナ１の端部１ａ，１ｂ上に載せられたインターポーザー２は超音波振動等によりアンテナ１の端部１ａ，１ｂに接着される。インターポーザー２が接着されたアンテナ１の基材は巻き取られ、その後アンテナ１のピッチ毎に分断され、所望の処理が施された後無線タグとされる。
【０００５】
また、従来、打ち抜いたインターポーザー２を搬送ロボットによりアンテナ１上に搬送する方式に代え、二つの回転体を介してアンテナ１に送るようなシステムも提案されている。これは、打ち抜かれた一つのインターポーザー２を第一の回転体のホルダで受け取って第二の回転体のホルダに受け渡し、第二の回転体が受け取ったインターポーザー２をアンテナ１の上に載せるようになっている（例えば、特許文献１参照。）。
【特許文献１】特開２００３−２８１４９１号公報
【発明の開示】
【発明が解決しようとする課題】
【０００６】
上記前者のインターポーザーの取付方法によれば、インターポーザーの連続状基材からアンテナの連続状基材へと両連続状基材を横断する方向にインターポーザーを搬送する工程を必要とするので、それだけ製造効率が低下し、また、その工程のための搬送ロボット等を必要とするので、製造装置の構造が複雑化するという問題がある。また、後者のインターポーザーの取付方法によれば、第一と第二の回転体の媒介によりインターポーザーを搬送するので、製造効率が低下し、また、第一と第二の回転体を設け、両者をタイミングが合うように同期して回転させなければならないので、製造装置の構造が複雑化するという問題がある。
【０００７】
また、インターポーザーに限らず他の非接触型データキャリア部材をアンテナ等他の被搭載体や、カード等の製品に取り付ける場合においても同様な問題が生じる。
【０００８】
従って、本発明は上記問題点を解決する手段を提供することを目的とする。
【課題を解決するための手段】
【０００９】
上記課題を解決するため、請求項１に係る発明は、非接触データキャリア部材（２）が所定ピッチで担持された連続体（６）を上記非接触データキャリア部材（２）毎に打ち抜いて所定数配列し、被搭載体（１）が所定ピッチで形成された連続状基材（３ａ）を往復動させつつ、上記連続体（６）から複数の非接触データキャリア部材（２）を上記連続状基材（３ａ）の被搭載体（１）に受け渡す非接触データキャリア部材取付方法を採用する。
【００１０】
また、請求項２に係る発明は、非接触データキャリア部材（２）が所定ピッチで担持された連続体（６）を前記非接触データキャリア部材（２）毎に打ち抜き、この打ち抜いた非接触データキャリア部材（２）を順次吸着手段（１６）に吸着させ、この吸着手段（１６）を往復動させつつ、この吸着手段（１６）から被搭載体（１）が所定ピッチで形成された連続状基材（３ａ）に上記非接触データキャリア部材（２）を受け渡す非接触データキャリア部材取付方法を採用する。
【００１１】
また、請求項３に係る発明は、請求項１に記載の非接触データキャリア部材取付方法において、上記所定数配列した非接触データキャリア部材（２）を上記連続状基材（３ａ）の往復動位置に間欠送りし、上記非接触データキャリア部材（２）と同期して上記連続状基材（３ａ）を間欠送りする非接触データキャリア部材取付方法を採用する。
【００１２】
また、請求項４に係る発明は、請求項１又は請求項２に記載の非接触データキャリア部材取付方法において、上記非接触データキャリア部材（２）を上記連続状基材（３ａ）の被搭載体（１）上に受け渡す前に、上記非接触データキャリア部材（２）及び上記被搭載体（１）上の少なくとも一方に予め接着剤を塗布しておく非接触データキャリア部材取付方法を採用する。
【００１３】
また、請求項５に係る発明は、請求項２に記載の非接触データキャリア部材取付方法において、上記吸着手段（１６）の往動時に上記連続状基材（３ａ）に上記非接触データキャリア部材（２）を受け渡し、上記吸着手段（１６）の復動時に上記打ち抜いた非接触データキャリア部材（２）を吸着する非接触データキャリア部材取付方法を採用する。
【００１４】
また、請求項６に係る発明は、非接触データキャリア部材が所定ピッチで担持された連続体（６）を上記非接触データキャリア部材（２）毎に打ち抜く打ち抜き手段（７）と、打ち抜かれた非接触データキャリア部材（２）を所定数配列する配列手段（８）と、被搭載体（１）が所定ピッチで形成された連続状基材（３ａ）を往復動させる往復動手段（１１）とを備え、上記往復動手段（１１）にて上記連続体（６）から複数の非接触データキャリア部材（２）を上記連続状基材（３ａ）の被搭載体（１）に受け渡す非接触データキャリア部材取付装置を採用する。
【００１５】
また、請求項７に係る発明は、非接触データキャリア部材が所定ピッチで担持された連続体（６）を前記非接触データキャリア部材（２）毎に打ち抜く打ち抜き手段（７）と、打ち抜かれた非接触データキャリア部材（２）を順次吸着する吸着手段（１６）と、この吸着手段（１６）を往復動させつつ、この吸着手段（１６）から被搭載体（１）が所定ピッチで形成された連続状基材（３ａ）に上記非接触データキャリア部材（２）を受け渡す往復動手段（１７）とを備えた非接触データキャリア部材取付装置を採用する。
【００１６】
また、請求項８に係る発明は、請求項６又は請求項７に記載の非接触データキャリア部材取付装置において、上記非接触データキャリア部材（２）を上記連続状基材（３ａ）の被搭載体（１）上に受け渡す前に、上記非接触データキャリア部材（２）上及び上記被搭載体（１）上の少なくとも一方に予め接着剤を塗布する塗布手段（１２）を設けた非接触データキャリア部材取付装置を採用する。
【発明の効果】
【００１７】
請求項１に係る発明によれば、連続体（６）から複数の非接触データキャリア部材（２）を上記連続状基材（３ａ）の被搭載体（１）に受け渡すようにしたので、非接触データキャリア部材（２）を簡易且つ迅速に被搭載体（１）に取り付けることができる。
【００１８】
請求項２に係る発明によれば、非接触データキャリア部材（２）を順次吸着手段（１６）に吸着させ、この吸着手段（１６）を往復動させつつ、この吸着手段（１６）から被搭載体（１）が所定ピッチで形成された連続状基材（３ａ）に上記非接触データキャリア部材（２）を受け渡すようにしたので、非接触データキャリア部材（２）を簡易且つ迅速に被搭載体（１）に取り付けることができる。
【００１９】
請求項３に係る発明によれば、非接触データキャリア部材と同期して連続状基材を間欠送りするようにしたので、非接触データキャリア部材（２）を被搭載体（１）に対し位置ずれを生じることなく、正確に取り付けることができるのは勿論のこと、非接触データキャリア部材（２）の取付速度を速めることができる。
【００２０】
請求項４に係る発明によれば、非接触データキャリア部材（２）を上記連続状基材（３ａ）の被搭載体（１）上に受け渡す前に、非接触データキャリア部材（２）上及び被搭載体（１）上の少なくとも一方に予め接着剤を塗布しておくので、非接触データキャリア部材（２）を被搭載体（１）に電気的導通のための接合を行うことができる。
【００２１】
請求項５に係る発明によれば、吸着手段（１６）の往動時に上記連続状基材（３ａ）に上記非接触データキャリア部材（２）を受け渡し、上記吸着手段（１６）の復動時に上記打ち抜いた非接触データキャリア部材（２）を吸着するようにしたので、吸着手段（１６）の往復動により非接触データキャリア部材（２）を簡易且つ迅速に被搭載体（１）に取り付けることができる。
【００２２】
請求項６に係る発明によれば、構造を簡素化しつつ、多数の非接触データキャリア部材（２）を簡易且つ迅速に被搭載体（１）に取り付けることができる。
【００２３】
請求項７に係る発明によれば、構造を簡素化しつつ、多数の非接触データキャリア部材（２）を簡易且つ迅速に被搭載体（１）に取り付けることができる。
【００２４】
請求項８に係る発明によれば、非接触データキャリア部材（２）を被搭載体（１）に電気的導通のための接合を行うことができる。
【発明を実施するための最良の形態】
【００２５】
以下、図面を参照して本発明を実施するための最良の形態について説明する。
【００２６】
（実施の形態１）
図４は実施の形態１の非接触データキャリア部材取付装置を示す構成図である。
【００２７】
図４に示すように、本実施の形態の非接触データキャリア部材取付装置は、非接触データキャリア部材であるインターポーザー２が所定ピッチで配置された連続状基材６を矢印Ａ方向に走行させてインターポーザー２毎に打ち抜く打ち抜き手段としてのロータリー駆動式の切断装置７と、この切断装置７により各個単位に打ち抜かれたインターポーザー２を所定数（本実施形態では１６個）受け渡して配列する配列手段としての搬送ベルト８とを備えて構成されている。
【００２８】
また、非接触データキャリア部材取付装置は、３つの上部ガイドローラ９ａと４つの下部ガイドローラ９ｂとが上下交互に配置された被搭載体送り手段としてのアンテナ送り装置１０と、被搭載体としてのアンテナ１が所定ピッチで形成された連続状基材３ａを蛇行状に巻き掛けたアンテナ送り装置１０を搬送ベルト８上に配列された各個単位のインターポーザー２に対して往復動させる往復動手段としての往復動装置１１と、インターポーザー２が貼り合わされるアンテナ１の端部１ａ，１ｂに予め導電性接着剤を塗布する塗布手段としての塗布部材１２とを備えて構成されている。
【００２９】
アンテナ１の構成は、図２に示したものと同様であり、紙、合成樹脂等で出来たシート状の基材３の表面に所望のパターンの導電層を付着させてなるものである。基材３は当初連続状であり、この連続状基材３ａの上にアンテナ１が一定ピッチで形成されている。
【００３０】
図４に示すように、インターポーザー２を一定ピッチで担持した連続状基材６は、図示しない送り機構により矢印Ａ方向に走行され取付装置内の切断装置７に送られる。この切断装置７は、周面に複数の打ち抜き刃１３ａが形成された加工シリンダ１３と、この加工シリンダ１３に対向して配置された受けシリンダ１４とを備えて構成されている。
【００３１】
搬送ベルト８は、搬送ローラ１５，１５に巻き掛けられ、切断装置７により各個単位に打ち抜かれたインターポーザー２が順次受け渡され、１６個のインターポーザー２を受け渡して配列した時点で移動が停止される。
【００３２】
また、搬送ベルト８は、各個単位に打ち抜かれて配列されたインターポーザー２を、アンテナ１が所定ピッチで形成された連続状基材３ａを蛇行状に巻き掛けたアンテナ送り装置１０を上下に往復動させてアンテナ１の端部１ａ，１ｂに貼り合わせた後に上記所定ピッチと矢印Ｂ方向に同ピッチ搬送し、間欠送りする。
【００３３】
すなわち、搬送ベルト８は、アンテナ送り装置１０を下方に往動させてアンテナ１の端部１ａ，１ｂにインターポーザー２を貼り合わせた後に上方に復動させたとき、他のインターポーザー２を間欠送りする。一方、３つの上部ガイドローラ９ａと４つの下部ガイドローラ９ｂは、インターポーザー２の間欠送りと同期して連続状基材３ａを矢印Ｃ方向に同ピッチ間欠送りする。
【００３４】
なお、アンテナ１の端部１ａ，１ｂにインターポーザー２を貼り合わせる場合には、４つの下部ガイドローラ９ｂの最下端部に位置する各アンテナ１にそれぞれインターポーザー２が受け渡されて１個づつ、計４個貼着される。
【００３５】
そして、搬送ベルト８が他のインターポーザー２を間欠送りし、３つの上部ガイドローラ９ａと４つの下部ガイドローラ９ｂがインターポーザー２の間欠送りと同期して連続状基材３ａを同ピッチ間欠送りし、再度アンテナ送り装置１０を下方に往動させて４つの下部ガイドローラ９ｂの最下端部に位置する各アンテナ１にそれぞれインターポーザー２が受け渡されて４個づつ貼着する。これらの動作を４回行うと、連続状基材３ａにインターポーザー２を１６個受け渡し、各アンテナ１にそれぞれインターポーザー２が貼着されるので、アンテナ１にインターポーザー２が貼着されていない部分まで連続状基材３ａを送る。
【００３６】
また、連続状基材３ａにインターポーザー２を１６個受け渡すと、搬送ベルト８上にはインターポーザー２がなくなるので、インターポーザー２を一定ピッチで担持した連続状基材６を矢印Ａ方向に走行させ、取付装置内に供給する。
【００３７】
この取付装置内に供給された連続状基材６は、切断装置７によりインターポーザー２毎に打ち抜かれる。この切断装置７により各個単位に打ち抜かれたインターポーザー２は、移動する搬送ベルト８に順次受け渡され、搬送ベルト８にインターポーザー２を１６個受け渡して配列した時点で搬送ベルト８の移動を停止させる。
【００３８】
アンテナ送り装置１０は、上記のように３つの上部ガイドローラ９ａと４つの下部ガイドローラ９ｂとが上下交互に配置され、これら上部ガイドローラ９ａ及び下部ガイドローラ９ｂに連続状基材３ａが蛇行状に巻き掛けられ、この連続状基材３ａは、図示しない基材供給装置からインターポーザー２と同期して供給される。
【００３９】
塗布部材１２は、４つの下部ガイドローラ９ｂの近傍であって、連続状基材３ａの送り方向において、４つの下部ガイドローラ９ｂの最下端部に位置する各アンテナ１にそれぞれインターポーザー２を受け渡す位置の上流側に配置される。
【００４０】
従って、塗布部材１２は、インターポーザー２を連続状基材３ａにおける各アンテナ１に受け渡す前に各アンテナ１の端部１ａ，１ｂに予め導電性接着剤を塗布しておくことができる。
【００４１】
連続状基材６と連続状基材３ａの走行制御は、両者に予め表示されたマーク、インターポーザー２のエッジ、アンテナ１のエッジ、アンテナ１の端部１ａ，１ｂ等を投受光器等で検出することにより行うことができる。
【００４２】
なお、アンテナ１のピッチとインターポーザー２のピッチとが等しければ、連続状基材３ａと連続状基材６とは同速度で走行させることができ、その場合は上記走行制御は不要である。
【００４３】
また、切断装置７によるインターポーザー２の打ち抜き位置及び４つの下部ガイドローラ９ｂの最下端部に位置する各アンテナ１に各インターポーザー２を受け渡す位置等は、それぞれ検出手段により検出され、その検出結果が互いにフィードバックされるように構成されている。
【００４４】
図４に示すように、インターポーザー２の導電性シート５，５は、塗布部材１２にて塗布された導電性接着剤によりアンテナ１の端部１ａ，１ｂに接着する。これにより、インターポーザー２のアンテナ１に対する本接合が完了する。
【００４５】
なお、塗布部材１２によりアンテナ１の端部１ａ，１ｂに予め塗布される接着剤が非導電性接着剤の場合、図４に示すように、上記連続状基材３ａの上記アンテナ送り装置１０よりも下流側には、インターポーザー２をアンテナ１に電気的に導通するように接合する接合手段としてのかしめ装置（図示せず）が配置される。このかしめ装置は、かしめ型を周面に有するローラと、このローラに圧接する加圧ローラとを備え、両ローラ間でインターポーザー２の導電性シート５，５をアンテナ１の端部１ａ，１ｂと共にエンボス加工するようになっている。上記両ローラ間での加圧により、導電性シート５，５の導電層が粘着剤を貫通してアンテナ１の端部１ａ，１ｂである導電層に接触し、インターポーザー２がアンテナ１に電気的に導通する。接合手段としては、かしめ装置のほか超音波接着装置等を用いることができる。
【００４６】
インターポーザー２が取り付けられたアンテナ１は、連続状基材３ａと共に図示しない巻き取りローラにより巻き取られる。
【００４７】
次に、上記取付装置によりインターポーザー２をアンテナ１に取り付ける方法について説明する。
【００４８】
（１）図４に示すように、インターポーザー２が一定ピッチで担持された連続状基材６を矢印Ａ方向に走行させ、取付装置内に供給する。一方、アンテナ送り装置１０においては、３つの上部ガイドローラ９ａ及び４つの下部ガイドローラ９ｂにアンテナ１が所定ピッチで形成された連続状基材３ａを蛇行状に巻き掛ける。
【００４９】
（２）上記取付装置内に供給された連続状基材６は、ロータリー駆動式の切断装置７により切断されてインターポーザー２毎に打ち抜かれる。具体的には、連続状基材６が加工シリンダ１３の複数の打ち抜き刃１３ａによりインターポーザー２の各個単位に打ち抜かれる。
【００５０】
（３）切断装置７により各個単位に打ち抜かれたインターポーザー２は、矢印Ｂ方向に無端移動する搬送ベルト８に順次受け渡され、搬送ベルト８にインターポーザー２を１６個受け渡して配列した時点で搬送ベルト８の移動を停止させる。
【００５１】
（４）アンテナ１の端部１ａ，１ｂには、塗布部材１２によって予め導電性接着剤が塗布されており、往復動装置１１を駆動してアンテナ送り装置１０を下方に往動させ、アンテナ１の端部１ａ，１ｂにインターポーザー２を圧接させて貼り合わせた時、インターポーザー２を連続状基材３ａ上のアンテナ１に転移させる。
【００５２】
つまり、４つの下部ガイドローラ９ｂの最下端部に位置する各アンテナ１には、それぞれインターポーザー２が受け渡されて１個づつ、計４個貼着される。これにより、インターポーザー２の導電性シート５，５が塗布部材１２にて塗布された導電性接着剤によりアンテナ１の端部１ａ，１ｂに対し押し付けられ小サイズのインターポーザーであっても、容易に剥がれないように本接合される。
【００５３】
（５）そして、往復動装置１１を再度駆動してアンテナ送り装置１０を上方に復動させた後、搬送ベルト８を無端移動させて他のインターポーザー２を間欠送りする。３つの上部ガイドローラ９ａと４つの下部ガイドローラ９ｂは、インターポーザー２の間欠送りと同期して連続状基材３ａを矢印Ｃ方向に同ピッチ間欠送りする。
【００５４】
（６）再度アンテナ送り装置１０を下方に往動させて４つの下部ガイドローラ９ｂの最下端部に位置する各アンテナ１にそれぞれインターポーザー２が受け渡されて４個づつ貼着する。これらの動作を４回行うと、連続状基材３ａにインターポーザー２を１６個受け渡し、各アンテナ１にそれぞれインターポーザー２が貼着されるので、アンテナ１にインターポーザー２が貼着されていない部分まで連続状基材３ａを送る。すなわち、連続状基材３ａは、４つの下部ガイドローラ９ｂに巻き掛ける長さ分送られる。
【００５５】
（７）連続状基材３ａにインターポーザー２を１６個受け渡すと、搬送ベルト８上にはインターポーザー２がなくなるので、インターポーザー２を一定ピッチで担持した連続状基材６を一方向に走行させ、取付装置内に供給する。以後、上記と同様の動作が繰り返され、インターポーザー２がアンテナ１上に次々と本接合される。
【００５６】
（８）インターポーザー２が本接合されたアンテナ１は、連続状基材３ａと共に図示しない巻き取りローラに巻き取られる。この巻き取りローラに巻き取られたアンテナ１及び連続状基材３ａは、その後無線タグ等に加工され、図１に示すようにアンテナ毎に分断される。
【００５７】
なお、塗布部材１２によりアンテナ１の端部１ａ，１ｂに予め塗布される接着剤が非導電性接着剤の場合には、アンテナ１にインターポーザー２が仮接合され、このインターポーザー２が仮接合されたアンテナ１は、連続状基材３ａと共に走行し、連続状基材３ａにより次の接合手段である図示しないかしめ装置により接合処理される。
【００５８】
具体的には、かしめ装置のローラにより、インターポーザー２の導電性シート５，５がアンテナ１の端部１ａ，１ｂと共にエンボス処理され、導電性シート５，５の導電層が粘着剤を貫通してアンテナ１の端部１ａ，１ｂである導電層に接触する。これにより、インターポーザー２がアンテナ１に固着されると同時に電気的に導通する。
【００５９】
なお、上記実施の形態では、インターポーザー及びアンテナを単列で供給するものとして説明したが、複数列で供給することにより同時に複数個のアンテナにインターポーザーを供給することもできる。
【００６０】
また、上記実施の形態における連続状基材６、連続状基材３aは、ニップローラ等他の駆動手段により走行させることも可能であり、途中にダンサーローラ等を介在させてアンテナとインターポーザーとのタイミング合わせをより細かく制御することもできる。
【００６１】
さらに、上記実施の形態では、ロータリー式の切断装置７を用いたが、これに限らず刃体が一定間隔をおいて複数平行に配置された平台式の切断装置を使用してもよい。
【００６２】
さらにまた、上記実施の形態において、連続状剥離紙にインターポーザーに代えてＩＣラベル等の非接触型データキャリア部材を貼着することにより、ＩＣラベル等を被搭載体に搭載することができる。被搭載体もアンテナ以外の他の非接触型データキャリア部材や、カード等の製品とすることができる。また、被搭載体は連続状基材に代えてベルトコンベア等の搬送装置により一定ピッチで搬送することも可能である。
【００６３】
（実施の形態２）
図５は実施の形態２の非接触データキャリア部材取付装置を示す構成図である。なお、前記実施の形態１と同一又は対応する部分には、同一の符号を用いて説明する。
【００６４】
図５に示すように、本実施の形態の非接触データキャリア部材取付装置は、非接触データキャリア部材であるインターポーザー２が所定ピッチで配置された連続状基材６を矢印Ａ方向に走行させてインターポーザー２毎に打ち抜く打ち抜き手段としてのロータリー駆動式の切断装置７と、この切断装置７により各個単位に打ち抜かれたインターポーザー２を順次吸着する吸着手段としての吸着ローラ１６とを備えて構成されている。
【００６５】
また、本実施の形態の非接触データキャリア部材取付装置は、吸着ローラ１６を昇降させつつ、この吸着ローラ１６から被搭載体としてのアンテナ１が所定ピッチで形成された連続状基材３ａにインターポーザー２を受け渡す往復動手段としての昇降装置１７と、インターポーザー２が貼り合わされるアンテナ１の端部１ａ，１ｂに予め導電性接着剤を塗布する塗布手段としての塗布部材１２とを備えて構成されている。
【００６６】
アンテナ１及びインターポーザー２の構成は、図１及び図３に示したものと同様であるため、その説明を省略する。
【００６７】
図５に示すように、インターポーザー２を一定ピッチで担持した連続状基材６は、図示しない送り機構により矢印Ａ方向に間欠走行され取付装置内の切断装置７に間欠的に送られる。この切断装置７は、実施の形態１と同様に周面に複数の打ち抜き刃１３ａが形成された加工シリンダ１３と、この加工シリンダ１３に対向して配置された受けシリンダ１４とを備えて構成されている。
【００６８】
また、アンテナ１が所定ピッチで形成された連続状基材３ａは、図示しない送り機構により矢印Ｂ方向に連続的又は間欠的に送られる。
【００６９】
図５の左側の図に示すように、吸着ローラ１６は、回転可能に構成され、周面に各個単位に打ち抜かれたインターポーザー２が順次吸着される。
【００７０】
また、吸着ローラ１６は、昇降装置１７に取り付けられ、この昇降装置１７を駆動して吸着ローラ１６を下降させた時は、各個単位に打ち抜かれて吸着されたインターポーザー２の１個を連続状基材３ａのアンテナ１の端部１ａ，１ｂに貼り合わせる（図５の中央の図）。この時、１個のインターポーザー２は、吸着ローラ１６から連続状基材３ａ上のアンテナ１に転移する。
【００７１】
さらに、吸着ローラ１６を上昇させた時は、各個単位に打ち抜かれて吸着されたインターポーザー２を順次吸着する（図５の右側の図）。
【００７２】
塗布部材１２は、連続状基材３ａの送り方向において、インターポーザー２を受け渡す位置の上流側に配置される。
【００７３】
従って、塗布部材１２は、インターポーザー２を連続状基材３ａにおける各アンテナ１に受け渡す前に各アンテナ１の端部１ａ，１ｂに予め導電性接着剤を塗布しておくことができる。
【００７４】
なお、切断装置７によるインターポーザー２の打ち抜き位置及び吸着ローラ１６がアンテナ１にインターポーザー２を受け渡す位置等は、それぞれ検出手段により検出され、その検出結果が互いにフィードバックされるように構成されている。
【００７５】
図５に示すように、インターポーザー２の導電性シート５，５は、塗布部材１２にて塗布された導電性接着剤によりアンテナ１の端部１ａ，１ｂに接着する。これにより、インターポーザー２のアンテナ１に対する本接合が完了する。
【００７６】
なお、塗布部材１２によりアンテナ１の端部１ａ，１ｂに予め塗布される接着剤が非導電性接着剤の場合、上記連続状基材３ａの送り方向下流側には、実施の形態１と同様に、インターポーザー２をアンテナ１に電気的に導通するように接合する接合手段としてのかしめ装置（図示せず）が配置される。
【００７７】
インターポーザー２が取り付けられたアンテナ１は、連続状基材３ａと共に図示しない巻き取りローラにより巻き取られる。
【００７８】
次に、上記取付装置によりインターポーザー２をアンテナ１に取り付ける方法について説明する。
【００７９】
（１）図４に示すように、インターポーザー２が一定ピッチで担持された連続状基材６を矢印Ａ方向に走行させ、取付装置内に間欠的に供給する。
【００８０】
（２）上記取付装置内に供給された連続状基材６は、ロータリー駆動式の切断装置７により切断されてインターポーザー２毎に打ち抜かれる。具体的には、連続状基材６が加工シリンダ１３の複数の打ち抜き刃１３ａによりインターポーザー２の各個単位に打ち抜かれる。
【００８１】
（３）切断装置７により各個単位に打ち抜かれたインターポーザー２は、矢印方向に回転する吸着ローラ１６に順次吸着され、本実施の形態では吸着ローラ１６にインターポーザー２が８個受け渡した時点で昇降装置１７を駆動する。
【００８２】
（４）そして、吸着ローラ１６を下降させ、各個単位に打ち抜かれて吸着されたインターポーザー２の１個を連続状基材３ａのアンテナ１の端部１ａ，１ｂに転移させる。
【００８３】
（５）次いで、吸着ローラ１６を上昇させ、各個単位に打ち抜かれて吸着されたインターポーザー２を順次吸着する（図５の右側の図）。以後、上記と同様の動作が繰り返され、インターポーザー２がアンテナ１上に次々と本接合される。
【００８４】
（６）インターポーザー２が本接合されたアンテナ１は、連続状基材３ａと共に図示しない巻き取りローラに巻き取られる。この巻き取りローラに巻き取られたアンテナ１及び連続状基材３ａは、その後無線タグ等に加工され、図１に示すようにアンテナ毎に分断される。その他の構成及び作用は、前記実施の形態１と同様であるので、その説明を省略する。
【００８５】
なお、塗布部材１２によりアンテナ１の端部１ａ，１ｂに予め塗布される接着剤が非導電性接着剤の場合には、実施の形態１と同様であるので、その説明を省略する。
【００８６】
また、本実施の形態では、往復動手段としての昇降装置１７を用いたが、各部材を水平方向に設置した場合には、吸着ローラ１６を水平方向に往復動させればよい。
【００８７】
さらに、上記各実施の形態では、塗布部材１２によって塗布される接着剤を導電性としたが、非導電性の接着剤でもよい。そして、上記実施の形態では、インターポーザー２が貼り合わされるアンテナ１の端部１ａ，１ｂに予め導電性接着剤を塗布したが、これに限らずインターポーザー２上に予め塗布するようにしてもよい。要するに、アンテナ１の端部１ａ，１ｂ上及びインターポーザー２上の少なくとも一方に接着剤を塗布すればよい。
【００８８】
また、上記各実施の形態では、図４及び図５に示すように連続状基材におけるＩＣチップ４が取り付けられた面がアンテナ１に対向するようになっているが、これに限らず、ＩＣチップの取り付けられた面と反対側の面がアンテナ１に対向させることも可能である。その場合は、アンテナ１の端部以外の箇所がインターポーザー２における導電性シートの導電層に接触しないように例えば非導電性塗料等が所定箇所に予め塗布されることが望ましい。
【図面の簡単な説明】
【００８９】
【図１】本発明に係る取付方法及び装置によりインターポーザーを取り付けられたアンテナを示す斜視図である。
【図２】アンテナの概略を示す斜視図である。
【図３】インターポーザーの概略を示す斜視図である。
【図４】本発明の実施の形態１に係る取付装置の概略を示す正面図である。
【図５】本発明の実施の形態２に係る取付装置の概略を示す構成図である。
【符号の説明】
【００９０】
１…アンテナ（被搭載体）
２…インターポーザー（非接触データキャリア部材）
３ａ…連続状基材
６…状剥離紙
７…切断装置（打ち抜き手段）
８…搬送ベルト（配列手段）
９ａ…上部ガイドローラ
９ｂ…下部ガイドローラ
１０…アンテナ送り装置
１１…往復動装置（往復動手段）
１２…塗布部材（塗布手段）
１３…加工シリンダ
１４…受けシリンダ
１５…搬送ローラ
１６…吸着ローラ（吸着手段）
１７…昇降装置（往復動手段）
【図１】
2006039655.tif 000003
【図２】
2006039655.tif 000004
【図３】
2006039655.tif 000005
【図４】
2006039655.tif 000006
【図５】
2006039655.tif 000007